(57)【特許請求の範囲】
【請求項１】
前端部に立下り形状の前エプロン部を有するカウンターを壁等取付基体に取り付けるためのブラケット装置であって、
（Ａ）前記取付基体に固定される固定部及び該固定部から前方に延び出し、前記カウンターの水平な本体部下面を支持するアームを備えたブラケット本体と
（Ｂ）前記前エプロン部の裏面に当接して該前エプロン部を裏面側から水平方向に支持するエプロン支持部材及び該エプロン支持部材を前後に位置調節し且つ調節位置に保持する前後アジャスト機構を有する前エプロン部の矯正機構と
を備えていることを特徴とするカウンター取付用ブラケット装置。
【請求項２】
請求項１に記載のカウンター取付用ブラケット装置において、前記矯正機構が、前記ブラケット本体の前端部に設けられていることを特徴とするカウンター取付用ブラケット装置。
【請求項３】
請求項１，２の何れかに記載のカウンター取付用ブラケット装置において、前記エプロン支持部材がボルトを有しており、前記アジャスト機構が該ボルトの外周面の雄ねじと該ボルトを保持する保持部材に形成されて該雄ねじに螺合する雌ねじ孔とを有していることを特徴とするカウンター取付用ブラケット装置。
【請求項４】
請求項１〜３の何れかに記載のカウンター取付用ブラケット装置において、前記ブラケット装置が、一対のカウンターのそれぞれを継目において前記取付体に取り付けるものであって、前記アジャスト機構がそれらカウンターの並び方向に一対並べて設けられていることを特徴とするカウンター取付用ブラケット装置。
【請求項５】
請求項１〜４の何れかに記載のカウンター取付用ブラケット装置において、前記ブラケット本体には、前記カウンターにおける本体部の下面をねじ結合にて固定する支持部が設けられていることを特徴とするカウンター取付用ブラケット装置。
【発明の詳細な説明】
【０００１】
【発明の属する技術分野】
この発明はカウンター取付用ブラケット装置に関する。
【０００２】
【従来の技術】
従来、所定の取付基体例えば壁にカウンターを取り付けるに際して、ブラケット装置を壁に固定してそのブラケット装置によりカウンター下面を支持し、かかるブラケット装置を介してカウンターを壁に取り付けることが行われている。
【０００３】
図５はこの種ブラケット装置の従来の例を示している。
同図において２００はそのブラケット装置で、２０２はブラケット本体である。
ブラケット本体２０２は、後端に垂直向きの固定部２０４を有しており、更にこの固定部２０４から水平方向前方に延び出すアーム２０６を有しており、その固定部２０４において壁２０８に固定されるとともに、アーム２０６においてカウンター２１０の水平な本体部２１２の下面を支持するようになっている。
【０００４】
ここでカウンター２１０は、本体部２１２の後端に上向きに立ち上がるバックガード部２１４を有しており、また前端に下向きに立ち下がる前エプロン部２１６を有している。
【０００５】
水平な本体部２１２の下面には補強木２１８が接着固定されており、上記ブラケット本体２０２のアーム２０６は、この補強木２１８を介して本体部２１２、即ちカウンター２１０を重量支持するようになっている。
【０００６】
ブラケット本体２０２のアーム２０６には、その後端部と前端部及び中間部とに支持部２２０がそれぞれ一対ずつ設けられている。
これら支持部２２０は、アーム２０６から右側方又は左側方に突出する鍔状部２２２と、鍔状部２２２に形成された縦向きの雌ねじ孔２２４と、雌ねじ孔２２４に螺合されるボルト２２６と、ボルト２２６の上端に設けられた円盤状の受部２２８とを有しており、それら受部２２８をカウンター２１０における本体部２１２の下面、具体的には補強木２１８の下面に当接させて、カウンター２１０を重量支持するものとされている。
【０００７】
この図５に示すブラケット装置２００は、一対のカウンター２１０を継目において支持するものであって、アーム２０２の右側の支持部２２０は右側のカウンターの左端部下面を支持し、またアーム２０６の左側の支持部２２０は左側のカウンターの右端部下面をそれぞれ支持する働きをなす。
【０００８】
上記各支持部２２０におけるボルト２２６の外周面の雄ねじと雌ねじ孔２２４とは上下のアジャスト機構を成しており、ボルト２２６を回転操作することによって上端の受部２２８の高さを調整できるようになっている。
そしてその受部２２８の高さを調整することで、左右一対のカウンター２１０における本体部２１２の上面を面合せできるようになっている。
【０００９】
而してそのように面合せした状態で各受部２２８と補強木２１８とを、受部２２８に形成した固定孔２３０においてビスにより締結することで、各支持部２２０とカウンター２１０の本体部２１２とが固定状態となる。
【００１０】
このように従来のブラケット装置２００の場合、これを一対のカウンター２１０の継目に位置させて各カウンター２１０の側端部を支持し且つ壁２０８に取り付けるに際して、各本体部２１２の上面を継目において面合せする機能を有しており、従って図６（Ａ）に示しているようにその継目において、左右のカウンター２１０の本体部２１２が面ずれした状態となるのを防止することが可能である。
【００１１】
【発明が解決しようとする課題】
ところで成形品としてのカウンター２１０は、成形後において前エプロン部２１６が図６（Ｂ）に示しているように壁２０８側、即ち後端側に変形しようとする傾向がある。
従ってカウンター２１０同士をつないで施工した場合、そのような変形が起こると左右一対のカウンター２１０の前エプロン部２１６の前面が継目において段差を生じ、その段差によってカウンター２１０の継目が目立ったものとなり、外観を著しく悪化させる。
【００１２】
その対策として、従来、図７に示しているように変形を起こした側の前エプロン部２１０をドライヤ等の加熱器２３２で加熱して軟化させた上、一対の前エプロン部２１６にまたがるようにして当て木２３４を当て、それらを介して一対の前エプロン部２１６を万力で締め付けて、変形した側の前エプロン部２１６の形状を矯正し、その状態で室温まで冷却することによって、一対の前エプロン部２１６の継目を面合せするようにしていた。
【００１３】
しかしながらこの場合、変形した側の前エプロン部を加熱し軟化させるために約１時間程度、また室温まで冷却するまでに３〜４時間程度の時間が必要であり、変形した前エプロン部の形状を矯正するために手間がかかり、大変労力を必要としていた。
【００１４】
またたとえ一次的に形状が矯正できたとしても、変形した側の前エプロン部は再び元の形へ戻ろうとする傾向があり、一対の前エプロン部の継目を面合せしたとしても、その後において再び面ずれを起こしてしまう恐れがあった。
【００１５】
【課題を解決するための手段】
本願の発明のカウンター取付用ブラケット装置はこのような課題を解決するために案出されたものである。
而して請求項１のものは、前端部に立下り形状の前エプロン部を有するカウンターを壁等取付基体に取り付けるためのブラケット装置であって、（Ａ）前記取付基体に固定される固定部及び該固定部から前方に延び出し、前記カウンターの水平な本体部下面を支持するアームを備えたブラケット本体と、（Ｂ）前記前エプロン部の裏面に当接して該前エプロン部を裏面側から水平方向に支持するエプロン支持部材及び該エプロン支持部材を前後に位置調節し且つ調節位置に保持する前後アジャスト機構を有する前エプロン部の矯正機構と、を備えていることを特徴とする。
【００１６】
請求項２のものは、請求項１に記載のカウンター取付用ブラケット装置において、前記矯正機構が、前記ブラケット本体の前端部に設けられていることを特徴とする。
【００１７】
請求項３のものは、請求項１，２の何れかに記載のカウンター取付用ブラケット装置において、前記エプロン支持部材がボルトを有しており、前記アジャスト機構が該ボルトの外周面の雄ねじと該ボルトを保持する保持部材に形成されて該雄ねじに螺合する雌ねじ孔とを有していることを特徴とする。
【００１８】
請求項４のものは、請求項１〜３の何れかに記載のカウンター取付用ブラケット装置において、前記ブラケット装置が、一対のカウンターのそれぞれを継目において前記取付体に取り付けるものであって、前記アジャスト機構がそれらカウンターの並び方向に一対並べて設けられていることを特徴とする。
【００１９】
請求項５のものは、請求項１〜４の何れかに記載のカウンター取付用ブラケット装置において、前記ブラケット本体には、前記カウンターにおける本体部の下面をねじ結合にて固定する支持部が設けられていることを特徴とする。
【００２０】
【作用及び発明の効果】
上記のように請求項１のブラケット装置は、前エプロン部の裏面に当接してこれを裏側から水平方向に支持するエプロン支持部材及びそのエプロン支持部材を前後に位置調節してその調節位置に保持する前後アジャスト機構を有する前エプロン部の矯正機構を備えたもので、このブラケット装置の場合、前エプロン部がカウンター成形後において変形を起こした場合、その矯正機構によって変形した前エプロン部を正規の形状に形状矯正し且つその矯正形状にその後も保持することができる。
従ってこのブラケット装置を用いてカウンターを取り付けた場合、適正な状態にカウンターを取り付けることができる。
またこのようにブラケット装置に矯正機構を具備させることで、別途に矯正装置を設ける必要がない利点が得られる。
【００２１】
ここで上記矯正機構は、ブラケット本体の前端部に設けておくことができる（請求項２）。
このようにしておけば、カウンターの前エプロン部に最も近い位置で前エプロン部を形状矯正し且つその矯正形状にこれを拘束でき、また前エプロン部の変形しようとする力を良好にブラケット本体にて受けることができる。
これにより前エプロン部を裏面側から強固に水平方向に支持することができ、その後において前エプロン部が更に変形しようとするのを確実に阻止することができる。
【００２２】
請求項３のものは、上記エプロン支持部材をボルトにて構成し且つアジャスト機構をボルトの外周面の雄ねじとボルトの保持部材に形成した雌ねじ孔とを有するように構成したもので、このブラケット装置の場合、ボルトから成るエプロン支持部材を単に回転操作するだけでエプロン支持部材を前後に位置移動させ得、後端側に変形した状態の前エプロン部を裏面から強制的に前方に押し出して適正形状に形状矯正することができるとともに、そのエプロン支持部材を矯正位置に停止させておくことで、容易にその矯正形状をその後も保持でき、後において前エプロン部が再び後端側に曲り変形するのを良好に阻止することができる。
【００２３】
ここでボルトから成るエプロン支持部材には回転操作用の工具係合部を設けておくことができる。
このようにしておけば、前エプロン部の形状矯正の際の抵抗力に打ち勝って容易にエプロン支持部材を前進移動させることができる。
【００２４】
請求項４のブラケット装置は、一対のカウンターのそれぞれを継目において壁等の取付体に取り付けるに際し、上記アジャスト機構をカウンターの並び方向に一対並べて具備させたもので、このブラケット装置の場合、左右のカウンターの前エプロン部の何れが変形を起こしている場合にも、何れか一方のアジャスト機構を用いることによって、良好にそれら前エプロン部の継目を面合せすることができる。
或いはまた、一対のカウンターの各前エプロン部のそれぞれを一対のアジャスト機構によりそれぞれ形状矯正し、これにより各前エプロン部の継目を面合せすることができる。
【００２５】
請求項５のブラケット装置は、ブラケット本体にカウンターにおける本体部の下面をねじ結合にて固定する支持部を備えたもので、このブラケット装置の場合、カウンターの本体部を同一のブラケット装置により固定した状態において矯正機構により前エプロン部を前方に押出変形させ、適性形状にこれを矯正することができる。
【００２６】
【実施例】
次に本発明の実施例を図面に基づいて詳しく説明する。
図１において、１０，１０は取付基体としての壁１２（図２参照）に接する状態で左右に突合せ状態で並べて配置された一対のカウンターで、水平な本体部１４と、その後端において立ち上がるバックガード部１６、更に本体部１４の前端から立ち下がる前エプロン部１８を有している。
ここで一方のカウンター１０には洗面器２０と水栓金具２２とが設けられている。
【００２７】
図２において、２４はカウンター１０と１０との継目に位置してそれらカウンター１０を壁１２に取り付けるためのブラケット装置で、２６はそのブラケット装置２４におけるブラケット本体である。
【００２８】
ブラケット本体２６は、後端に垂直向きの固定部２８を有しており、更にこの固定部２８から水平方向前方に延び出すアーム３０と、それらを互いに連結し補強する側面形状が三角形状の補強部３２を有しており、その固定部２８において壁１２に固定されるとともに、アーム３０においてカウンター１０の水平な本体部１４の下面を支持するようになっている。
【００２９】
水平な本体部１４の下面には補強木３４が接着固定されており、上記ブラケット本体２４のアーム３０は、この補強木３４を介して本体部１４、即ちカウンター１０を重量支持するようになっている。
【００３０】
ブラケット本体２６のアーム３０には、図３に示しているようにその後端部と前端部及び中間部とに支持部３６がそれぞれ一対ずつ設けられている。
これら支持部３６は、アーム３０から右側方又は左側方に突出する鍔状部３８と、鍔状部３８に形成された縦向きの雌ねじ孔４０と、雌ねじ孔４０に螺合されるボルト４２と、ボルト４２の上端に設けられた円盤状の受部４４とを有しており、それら受部４４をカウンター１０における本体部１４の下面、具体的には補強木３４の下面に当接させて、カウンター２１０を重量支持するものとされている。
【００３１】
ブラケット装置２４は、一対のカウンター１０を継目において支持するものであって、アーム３０の右側の支持部３６は右側のカウンター１０の左端部下面を支持し、またアーム３０の左側の支持部３６は左側のカウンター１０の右端部下面をそれぞれ支持する。
【００３２】
上記各支持部３６におけるボルト４２の外周面の雄ねじと雌ねじ孔４０とは上下のアジャスト機構を成しており、ボルト４２を回転操作することによって、上端の受部４４の高さを調整できるようになっている。
そしてその受部４４の高さを調整することで、左右一対のカウンター１０における本体部１４の上面を面合せできるようになっている。
【００３３】
而して、そのように面合せした状態で各受部４４と補強木３４とを、受部４４に形成した固定孔４６においてビスにより締結することで、各支持部３６とカウンター１０の本体部１４とが固定状態となる。
【００３４】
ブラケット本体２６の前端部には、図2及び図３に示しているように前エプロン部１６の形状を矯正するための矯正機構４８がカウンター１０，１０の並び方向に一対並べて設けられている。
これら矯正機構４８は、ブラケット本体２６前端の垂下部５０から左右方向に延び出す板状の保持部材５２と、それら保持部材５２に形成された前後方向且つ貫通の雌ねじ孔５４と、雌ねじ孔５４に螺合されたボルト５６と、ボルト５６の各先端部に設けられ、前エプロン部１６の裏面に当接する当て板５８とを有しており、更にボルト５６の後端部には六角形状の工具係合用の頭部６０が設けられている。
【００３５】
ここでボルト５６と当て板５８とは、前エプロン部１８を裏面側から水平方向に支持するエプロン支持部材６２を構成しており、またボルト５６の外周面の雄ねじと雌ねじ孔５４とは、エプロン支持部材６２を前後に位置調節し且つ調節位置に保持する前後のアジャスト機構６４を構成している。
【００３６】
図４はこれらアジャスト機構６４の作用を示したものである。
図４において、(I)は一対のカウンター１０の前エプロン部１８の一方が変形を起こしている場合において、その変形側の前エプロン部１８に対応する矯正機構４８のボルト５６を回転操作して前進させ、その先端の当て板５８を前エプロン部１８の裏面に当接させた上、更にその前エプロン部１８の抵抗力に抗してボルト５６を更に前進させて前エプロン部１８を垂直下向きとなるように形状矯正する。これにより変形側の前エプロン部１８の前面を隣接する前エプロン部１８の前面と一致させ、面合せする（図４(II)）。
尚、他方の前エプロン部１８に対応する矯正機構４８については、エプロン支持部材６２の当て板５８を前エプロン部１８の裏面に当接させた状態としておく。
【００３７】
或いはまた、一対のカウンター１０，１０の各前エプロン部１８，１８のそれぞれが互いに変形を起こしている場合には、それぞれの矯正機構４８におけるボルト５６を前進移動させて各前エプロン部１８を形状矯正し、一対のカウンター１０の前エプロン部１８を継目で面合せする。
【００３８】
以上のように本例のブラケット装置２４によれば、前エプロン部１８がカウンター１０成形後において変形を起こした場合、矯正機構４８によって変形した前エプロン部１８を正規の形状に形状矯正し且つその矯正形状にその後も保持することができる。
従ってこのブラケット装置２４を用いてカウンター１０を取り付けた場合、適正な状態にカウンター１０を取り付けることができる。
【００３９】
本例では矯正機構４８を、ブラケット本体２６の前端部に設けてあるため、カウンター１０の前エプロン部１８に最も近い位置で前エプロン部１８を形状矯正し且つその矯正形状にこれを拘束でき、また前エプロン部１８の変形しようとする力を良好にブラケット本体２６にて受けることができる。
これにより前エプロン部１８を裏面側から強固に水平方向に支持することができ、その後において前エプロン部１８が更に変形しようとするのを確実に阻止することができる。
【００４０】
また本例のブラケット装置２４の場合、ボルト５６を単に回転操作するだけで前エプロン部１８を裏面から強制的に前方に押し出して適正形状に形状矯正することができ且つこれを矯正位置に停止させておくことで容易にその矯正形状をその後も保持することができ、後において前エプロン部１８が再び後端側に曲り変形するのを良好に阻止することができる。
【００４１】
更に本例のブラケット装置２４によれば、左右のカウンター１０の前エプロン部１８の何れが変形を起こしている場合にも、何れか一方の矯正機構４８を用いることで良好にそれら前エプロン部１８を継目で面合せすることができる。
或いはまた一対のカウンター１０の各前エプロン部１８のそれぞれが変形を起している場合にも一対の矯正機構４８にてともに形状矯正でき、各前エプロン部１８を継目で良好に面合せすることができる。
【００４２】
本例のブラケット装置２４は、ブラケット本体２６にカウンター本体１４の下面をねじ結合にて固定する支持部３６を備えたもので、このブラケット装置２４の場合、カウンター本体１４を同一のブラケット装置２４により固定しつつ矯正機構４８により前エプロン部１８を前方に押出変形させて適性形状にこれを矯正することができる。
【００４３】
以上本発明の実施例を詳述したがこれはあくまで一例示である。
例えば本発明は一対のカウンターの継目でなく、１つのカウンターの左右方向中間位置に配置される取付ブラケットに対しても適用可能であり、またこの場合において矯正機構を一対設けるのでなく、１つだけ設けておくことも可能である。
また本発明はキッチンカウンターその他各種用途，形態のカウンターに適用することが可能であるなど、本発明はその主旨を逸脱しない範囲において種々変更を加えた形態で構成可能である。
【図面の簡単な説明】
【図１】  本発明のブラケット装置にて取り付けられるカウンターの例を示す図である。
【図２】  図１のブラケット装置をカウンターとともに示す図である。
【図３】  図２のブラケット装置をカウンターと分離して示す図である。
【図４】  図２及び図３のブラケット装置の作用説明図である。
【図５】  従来のブラケット装置の例を示す図である。
【図６】  図５のブラケット装置を用いた場合の不具合の説明図である。
【図７】  図６の不具合の対策例を示す説明図である。
【符号の説明】
１０  カウンター
１２  壁
１４  本体部
１８  前エプロン部
２４  ブラケット装置
２６  ブラケット本体
２８  固定部
３０  アーム
３６  支持部
４８  矯正機構
５２  保持部材
５４  雌ねじ孔
５６  ボルト
５８  当て板
６０  頭部
６２  エプロン支持部材
６４  前後アジャスト機構
【図１】
0003790632.tif 000002
【図２】
0003790632.tif 000003
【図３】
0003790632.tif 000004
【図４】
0003790632.tif 000005
【図５】
0003790632.tif 000006
【図６】
0003790632.tif 000007
【図７】
0003790632.tif 000008